(57)【要約】      （修正有）【課題】蜘蛛の頭部を模した造形物をつくり、各眼毎に照明装置を配置し、各眼毎に色を変えて発光させる照明装置や外部から光線銃で眼に光線を当てるとそれを検出する受光素子を設け、命中すると眼が発光する入力装置を有する造形物を得ることにある。【解決手段】繊維強化プラスチックによる表面の一部に突出部４を有する造形物において、製作の際にゲルコートとして透明樹脂を用い造形物全体を半透明に成形し、脱型後に前記突出部４部分をマスキングし前記突出部４以外の部分を金属粒子を有する彩色を施した遮光部とし、前記突出部４の下縁に掛け渡して固定されるブラケット１０をオーバレイ層にて前記突出部４の下縁に固定し、前記ブラケット１０は前記突出部４の下側に位置する開口部を有し、該開口の範囲内に入出力素子を設けた繊維強化プラスチックを用いた造形物。【選択図】図２
2008174162.tif 000002
【特許請求の範囲】
【請求項１】
繊維強化プラスッチックによる表面の一部に突出部を有する造形物において、製作の際にゲルコートとして透明樹脂を用い造形物全体を半透明に成形し、脱型後に前記突出部部分をマスキングし前記突出部以外の部分を金属粒子を有する彩色を施した遮光部とし、前記突出部分の下縁に掛け渡して固定されるブラケットをオーバレイ層にて前記突出部の下縁に固定し、前記ブラケットは前記突出部の下側に位置する開口部を有し、該開口の範囲内に入出力素子を設けたことを特徴とする繊維強化プラスチックを用いた造形物。
【請求項２】
繊維強化プラスチックによる表面の一部に突出したドームを有する造形物において、製作の際にゲルコートとして透明樹脂を用いて造形物全体を半透明に成形し、脱型後に前記ドーム状部分をマスキングし前記ドーム部以外の部分を金属粒子を有する彩色を施した遮光部とし、前記ドームの裏側にドームの下縁にリング板であるブラケットをあてがい、オーバレイ層にて前記ドームの裏側縁に固定し、前記リング板の内径の範囲内に入出力素子を設けたことを特徴とする繊維強化プラスチックを用いた造形物。
【請求項３】
請求項２において、入出力素子は回路基板に設けられ、ブラケットの裏側からリング板の内径の範囲に設けられていることを特徴とする繊維強化プラスチックを用いた造形物。
【請求項４】
請求項１乃至３のいずれか１項において、入出力素子は前記ブラケットの裏側から取り付けられる回路基板に設けられている発光素子または受光素子であることを特徴とする繊維強化プラスチックを用いた造形物。
【請求項５】
請求項４において、ブラケットはドームの下縁の内径よりやや小径のリング板に複数の足部を適宜間隔をあけてリング板の外周方向に突出させ、前記ドームの裏側の縁に前記足部をあてがいオーバレイ層にて前記ドームの裏縁に固定した、
ことを特徴とする繊維強化プラスチックを用いた造形物。
【請求項６】
請求項４において、ブラケットはドームの下縁の内径よりやや小径のリング板に略１２０度間隔を有して外周方向に足部を突出させ、前記ドームの裏側の縁に前記足部をあてがいオーバレイ層にて前記ドームの裏縁に固定した、
ことを特徴とする繊維強化プラスチックを用いた造形物。
【請求項７】
請求項５又は６において、ブラケットの足部はリング体と一体となっており、足部が四方に変形可能に取り付けられていることを特徴とする繊維強化プラスッチックを用いた造形物。
【発明の詳細な説明】
【技術分野】
【０００１】
本発明は、繊維強化プラスチックで一体成型した優れた意匠性を有する立体的な造形物の内側に照明や、センサーを設けた入出力装置を有し、造形物の外部と入出力する造形物に関する
【背景技術】
【０００２】
従来、ＦＲＰ製の照明装置として、トラック等の行灯付きデフレクタが知られている。窓部をもちゲルコート層で被覆されたＦＲＰ製のディフレクタ本体と、該窓部の裏側に装着された照明部材とよりなり、該窓部を介して該照明部材の光を視認できる車両用ディフレクタにおいて、該ディフレクタ本体は透明樹脂又は半透明樹脂と強化材とからなり該窓部は該ディフレクタ本体の該ゲルコート層をもたない一部から構成された車両用デフレクタがある（例えば特許文献１参照）。
【特許文献１】特開２００１−１３０４５３（-図２、図３参照）
【発明の開示】
【発明が解決しようとする課題】
【０００３】
上記の車両用デフレクタの窓部はゲルコート層を有しない構成となっており、デフレクタ本体の裏側に照明部材を装着するには、デフレクタ本体の裏側に複数のブラケットをオーバレイ法により固定し、別に形成された照明装置をブラケットにボルトで固定している。
この場合に、照明部材の本体のネジ孔の位置にボルトがくるようにするために、予めボルトの位置を決めるための冶具を用意しておき、例えばボルトが4ケ所なら、冶具の四隅にボルトを仮止めしておき、デフレクタ本体の裏側にあてが位置決めしてオーバレイ法により固定する必要がある。
【０００４】
さらに、照明光が透過する窓部をゲルコート層を有しない構成とするために、デフレクタ本体の製造にあたり、所定の成形型を用意し、成形型の窓部を成形する型面の表面にマスキングテープを用いてマスキングを施した後に、型面全面及びマスキングの表面にゲルコートを塗布し、マスキングを剥離して窓部を形成する型面のみを表出させている。そしてゲルコートが乾燥後に、不飽和ポリエステル樹脂が含浸されたガラスマットを用いてハンドレイアップ形成によりデフレクタを成形している。その後、窓部の表面に意匠文字が印刷された透明シールを貼っている。
この方法では、窓部をゲルコート層を有しない構成としているため、表面が滑らかでなくざらついており、透明シールの貼着力が弱くなり、剥がれる恐れがある。
【０００５】
そこで本願では、上記課題を解決すべく、デザイン性を重視したＦＲＰで一体成形した造形物を内部から照明する際に、造形物表面の仕上がりはあくまでも綺麗にしたうえで、さらに照明装置のブラケットを組込む際にＦＲＰ造形物側に取り付け用のボルト等を位置決めしてから取り付ける工程を省くことができるＦＲＰを用いた造形物を得ることにある。
【０００６】
ここでは、八眼を有する蜘蛛の頭部を模した造形物をつくり、各眼毎に照明装置を配置し、各眼毎に色を変えて発光させる照明装置や外部から光線銃で眼に光線を当てるとそれを検出する受光素子を設け、命中すると眼が発光する入力装置を有する造形物を得ることにある。
【発明の効果】
【０００７】
本発明によれば繊維強化プラスチックを用いてデザイン性を重視した造形物を製作し照明を施す際に造形部自体にボルトを立てることなく、照明装置が取り付けられ、同様なデザインを複数個設けたとしてもそれに照明装置を組み込むことが容易になっている。さらに外部から眼を光線銃等で狙いあたると眼が光る装置が得られる。
【課題を解決するための手段】
【０００８】
上記課題を解決するために、本発明では、繊維強化プラスッチックによる表面の一部に突出部を有する造形物において、製作の際にゲルコートとして透明樹脂を用い造形物全体を半透明に成形し、脱型後に前記突出部部分をマスキングし前記突出部以外の部分を金属粒子を有する彩色を施した遮光部とし、前記突出部分の下縁に掛け渡して固定されるブラケットをオーバレイ層にて前記突出部の下縁に固定し、前記ブラケットは前記突出部の下側に位置する開口部を有し、該開口の範囲内に入出力素子を設けた繊維強化プラスチックを用いた造形物としてある。
【０００９】
本発明によれば、突出部を有する造形物を透明樹脂を用いたゲルコートを用いて成形してあるので、造形物全体が半透明に製作でき、突出部以外に金属粒子を有する彩色を施すことで遮光部を設けることができ、
突出部の内部に照明装置を組み込むことが容易にでき、造形物の外部から突出部が半透明になっており、この半透明部を介して、入出力素子とのやり取りができるのである。
【００１０】
上記課題を解決するために、本発明では、繊維強化プラスチックによる表面の一部に突出したドームを有する造形物において、製作の際にゲルコートとして透明樹脂を用いて造形物全体を半透明に成形し、脱型後に前記ドーム状部分をマスキングし前記ドーム部以外の部分を金属粒子を有する彩色を施した遮光部とし、前記ドームの裏側にドームの下縁にリング板であるブラケットをあてがい、オーバレイ層にて前記ドームの裏側縁に固定し、前記リング板の内径の範囲内に入出力素子を設けた繊維強化プラスチックを用いた造形物としてある。
【００１１】
上記発明によれば、ドーム部を有する造形物を透明樹脂を用いたゲルコートを用いて成形してあるので、造形物全体が半透明に製作でき、ドーム以外に金属粒子を有する彩色を施すことで遮光部を設けることができ、
ドームの内部に入出力装置を組み込むことが容易にでき、造形物の外部からドームが半透明になっており、この半透明部を介して、入出力素子とのやり取りができるのである。
【００１２】
上記課題を解決するために本発明では、上記発明において、入出力素子は回路基板に設けられ、ブラケットの裏側からリング板の内径の範囲に設けられている繊維強化プラスチックを用いた造形物としてある。
上記発明により、入出力素子がリングの内径の範囲に位置しているので、外部のいずれかの角度からでも半透明のドームを介した入出力素子とのやり取りが可能となるのである。
【００１３】
上述したいずれか１つの発明において、入出力素子は前記ブラケットの裏側から取り付けられる回路基板に設けられている発光素子または受光素子である繊維強化プラスチックを用いた造形物としてある。
上記発明により、回路基板に発光素子が設けてあれば発光した際に半透明のドームの部分が光り、受光素子が設けてあれば外部からドームを狙って光線を発すると半透明部分で乱反射し受光素子に入力することで、当たったことを検出することができる。
【００１４】
上記課題を解決するために本発明では、上記発明において、ブラケットはドームの下縁の内径よりやや小径のリング板に複数の足部を適宜間隔をあけてリング板の外周方向に突出させ、前記ドームの裏側の縁に前記足部をあてがいオーバレイ層にて前記ドームの裏縁に固定した繊維強化プラスチックを用いた造形物としてある。
上記発明によれば、ブラケットの外周方向に突出している足部をドームの下縁にあてがいオーバレイ層で固定することができる。
【００１５】
上記課題を解決するために本発明では、上記発明において、ブラケットはドームの下縁の内径よりやや小径のリング板に略１２０度間隔を有して外周方向に足部を突出させ、前記ドームの裏側の縁に前記足部をあてがいオーバレイ層にて前記ドームの裏縁に固定した繊維強化プラスチックを用いた造形物としてある。
上記発明によれば、ブラケットの外周から略１２０度の間隔を有して突出した足部がドームの下縁にあてがわれるので、ブラケットが安定して固定することができる。
【００１６】
さらに上記課題を解決するために、本発明では、ブラケットの足部はリング体と一体となっており、足部が四方に変形可能に取り付けられている繊維強化プラスッチックを用いた造形物としてある。
上記発明によれば、ブラケットの足部はリング体と一体になっており、リング体をドーム部の下縁に沿って当てあがった際にガタ付きがある際に、リング体と一体になっているので足部を曲げるｌことでドームの下縁に沿わすことができ、取り付け場所が平面でない場合でも容易に足部を変形させてあてがうことができるのである。
【発明を実施するための最良の形態】
【００１７】
本発明によるＦＲＰを用いた造形物の出力装置の実施例を図面を参照して具体的に説明する。以下は出力装置として照明装置及び受光センサーを取り付ける場合について述べる。
【実施例１】
【００１８】
図１は、本願の八眼を有する蜘蛛の頭部を模した造形物の外観斜視図を示す。この造形物1は基台2に繊維強化プラスッチック（ＦＲＰ：Ｆｉｂｅｒ  Ｒｅｉｎｆｏｒｃｅｄ  Ｐｌａｓｔｉｃｓ）を用いて緩やかに弓形に曲がったコッペパン状の３次元の有機的曲面を有する横幅が１５０ｃｍ、縦７０ｃｍの横長状の本体３を取り付けてある。
本体３は蜘蛛の頭部をデザインしており、その表面に下縁の径１０ｃｍ、高さ７ｃｍの略半球状のドームを８つ設けた突出部４としている。この突出部４は蜘蛛の眼を表現したデザインであり、下側周辺はリング状に盛り上がった盛り上り部５を有しており、蜘蛛の眼を８つとして立体的に強調した造形となっている。
蜘蛛の頭部３の型は、緩やかな三次元曲面で形成され、蜘蛛の眼は三次元曲面上に略半球状の突出部４を形成している。
有機的曲面とはデザイン上、コッペパンの表面のような曲面で形成されていることから、蜘蛛の眼のように各眼が適宜間隔を有して配置されるので、各眼の取り付け角度がそれぞれ異なるのである。
尚、ここでは突出部としてドームを用いているが、ドームに限らず、円筒状や、円錐状、角柱状や角錐状と様々な突出したデザインでもよい。
【００１９】
図２は、蜘蛛の眼の部分の断面図を示している。造形物１をＦＲＰで製作するにあたり、本来ゲルコートは、ポリウレタン樹脂、アクリル樹脂などを基体成分とし、それに各種着色顔料を分散混合したものであるが、ここでは顔料を混合せず、透明樹脂を利用し造形物１の全体に塗布しゲルコート層6を形成している。
そしてＦＲＰとして強化繊維に不飽和ポリエステル樹脂などの液状樹脂を含浸させて型内に配置し、圧縮成型、ＳＭＣ、ハンドレイアップ成形などにより造形物１の本体を形成する。通常ＦＲＰ成型に使用されるポリエステル樹脂やエポキシ樹脂などの熱硬化性樹脂は硬化後には半透明になり、光透過性を保っている。
【００２０】
ここでは、ゲルコート層６を透明樹脂で製作しているため、本造形物１は全体的に半透明の表面を有している。本造形物１では任意の部分を光透過させサインとするため、脱型後に蜘蛛の眼にあたる八箇所の突出部４を表面よりマスキング処理している。
その後、彩色作業を行うのだが、下地には眼以外の部分で光を透過するのを防ぐため、金属粒子を有する銀色塗料を塗布している。その上塗りとして本来必要な彩色を塗布した塗装部７となっている。塗装作業後、蜘蛛の眼部分のマスキングを剥離することにより突出部4の部分が光透過性を有し、必要で無い部分である本体の表面部3及びリング状に盛り上がった盛り上がり部５は遮光されることとなる。
上記の工程により、蜘蛛の頭部の３次元曲面からなる横長状の本体３に対して突出部４は半透明層となり、光透過性を有し、頭部本体部分は塗装が施された遮光部７を得ている。
【００２１】
ここで蜘蛛の眼を表現する造形物１はデザインを重視したＦＲＰ製であり、本体３の表面全体は複雑且つ有機的な三次元曲面に連なって成型されている。ＦＲＰ成型品の特性上、型にあたらない内側面は、製作毎々寸法が同じには製作されない。これはハンドレイアップ方式の特性であり短所でも有る。
【００２２】
図３は照明装置を取り付けたブラケットを突出部の裏側に取り付けた斜視図を示している。
突出部４の下縁周辺に照明装置20を配するために突出部４の下縁にブラケット10を取り付ける。ブラケット１０は、突出部４の下縁内周よりやや小さな径を有するリング板１１に略１２０度の角度を有して３つの足部１２が段差を有して設けてある。足部１２には孔１３が開口している。リング板１１には適宜位置にネジ孔１４が設けてある。
リング板１１の各足部１２はリングの縁から下側に１ｃｍ程、折り曲がってその先に外側に向い１ｃｍほどの底面を有している。これによりこのブラケット１０は突出部４の下縁周囲である盛り上がり部５の裏側にあたり凹面に成型したリング状曲面部８となっている。このリング状曲面部８にブラケットの３つの足部１２を下側にしてあてがい、オーバレイ層９にて足部をリング状曲面８の周囲に固定する。３ヶ所の足部１２をこのようにしてオーバレイ層９にて造形物裏面に固定する。この際に穴１３を設けてあることで接着材がより穴１３に入りこみ固定力が増し、オーバレイ層９が固まった後、照明装置20として発光素子２１を設けた回路基板２２をスペーサ２３を介してリング板１１に設けたネジ穴１４にネジ２４で取り付ける。
【００２３】
また、ＦＲＰ成型品の特性上、型にあたらない内側面は、製作毎々寸法が同じには製作されないので、リング板１１は予め、これを考慮し、一番小さい突出部の下縁よりも多少小さい外径としてある。そして足部１２はいずれのリング状曲面部８にも届くように外側に突出させてある。
ここで、造形物１がデザイン性を重視した有機的局面を有しており、蜘蛛の眼を模した8つの突出部４の取り付け方向がそれぞれ外方に向けて全て違うので、突出部４の下縁のリング状曲面部８の形状も微妙に異なり、ブラケット１０をあてがった際に、ブラケット体の足部が略１２０度の角度を有して３ヶ所に設けてあることから、３点で固定でき、どのような有機的曲面であってもしっかりと固定できる。この際に各足部１２をリング状曲面部に沿って多少上下左右方向にねじまげることで、より密着させた上でオーバレイ層をあてがい固定させるとより固定力が増す。
【００２４】
ブラケット１０が各突出部の下縁のリング状局面部８に固着された後に、リング板に設けたネジ孔１４には発光素子２１を片面に設けた回路基板２２がスペーサ２３を介してネジ２４により裏側からネジ止めされ、照明装置２０がブラケット１０に固定される。発光素子２１はリング板１１の内径の範囲に６つ適宜間隔を有して配置されており、
図示しない制御回路により点滅や色の変化が制御される。
【実施例２】
【００２５】
図４に別実施例のブラケットをドームの裏側に取り付けた斜視図を示す。
ブラケット１５はリング体１６の略１２０の角度を有して棒状１７の足部が溶接等にて固定されている。棒の長さはリング体の周縁から１ｃｍほどであり、リング体１６をドームの下縁のリング状曲面部にあてがいオーバレイ層にて固定するのである。ブラケットがリング状曲面部にあてがう際に棒状であることからどのような有機的曲面であっても固定しやすいのである。より固定させやすくするため、リング状曲面部に沿って棒状の足部を曲げることでリング状曲面部に沿わせることがしやすく、オーバレイ層を施す際に固定力が増す。
ブラケット１５が固定された後、リング体の設けたネジ穴１８に照明装置を取り付けるのである。
また、この例では棒状の足部は単に外方に伸ばしているが、図３に示す如く、棒状の足部に段差を設けてリング板１６に取り付けもよい。
【００２６】
また造形物１が有機的曲面を有し、且つ八眼の取り付け位置の角度も八箇所全て違うため、通常ＦＲＰ成型品に当該ブラケットを取り付けるためのジグ等を製作することが出来なかったのである。
【００２７】
上記説明においては、ブラケットには足部を有している説明としてあるが、突出部の裏側の凹凸がすくなければ足部がなくともそのままリングの外周を突出部の裏側にあてがいオーバレイ層で固定してもよい。またブラケットはリング板でなくとも、突出部の下縁の形状に合わせて、例えば突出部の下縁が四角なら、四角形でもよく、
いわば突出部の下縁の形状であればよい。
【００２８】
上記説明においては、回路基板には発光素子があるとして説明してあるが、さらに受光素子を加えてもよく、この場合は造形物の外部から光線を蜘蛛の眼に命中させた場合に、突出部が半透明になっているので、光線が突出部で乱反射して突出部の内部に入り、突出部の内部に入射した光の一部が受光素子に入ることで検出できるのである。これを用いることで、蜘蛛の眼を光線銃のターゲットとすることができ、光線銃の光が命中したら発光素子を光らせて命中表示することができる。
例えば時分割で、発光素子が発光する際は、受光素子は受光しないようにしておき、発光素子が点滅するよう制御し、発光素子が消えているときに受光素子が受光するようにすることで発光素子の発光が受光素子に入らないようにして誤動作を防ぐことができる。
あるいは、受光素子の受光する光を光線銃が発する光の波長のみを受光するようにしておくことで、発光素子が発光していても誤動作なく受光することができる。
【００２９】
ここでは図示の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。上記実施の形態例は本発明の理解のためのものであり、本発明がこれらに限定されるものではない。
【図面の簡単な説明】
【００３０】
【図１】八眼を有する蜘蛛の頭部を模した造形物の外観斜視図である。
【図２】蜘蛛の眼の部分の断面図である。
【図３】照明装置を取り付けたブラケットをドームの裏側に取り付け斜視図である。
【図４】別実施例のブラケットをドームの裏側に取り付けた斜視図である
【符号の説明】
【００３１】
１  造形物
２  基台
３  本体
４  突出部
５  盛り上り部
６  ゲルコート層
７  塗装部
８  リング状局面部
９  オーバレイ層  
１０  ブラケット
１１  リング板
１２  足部
１３  穴
１４  ネジ穴
１５  ブラケット（別実施例）
１６  リング板
１７  足部
１８  ネジ穴
２０  照明装置
２１  発光素子
２２  回路基板
２３  スペーサ
２４  ネジ
【図１】
2008174162.tif 000003
【図２】
2008174162.tif 000004
【図３】
2008174162.tif 000005
【図４】
2008174162.tif 000006